(57)【要約】【課題】テープの開始センサ、終末センサおよび発光素子を用いることなく、テープの開始部及び終末部でテープ走行の停止を可能とする。【解決手段】繰出リールと巻取リールとの間にテープを駆動させるためのテープ走行装置は、テープが情報を含んでいない場合、テープの走行を停止させるか、または、繰出リールパルス信号及び巻取リールパルス信号が生成されるか否かを決定し、繰出リールパルス信号及び巻取リールパルス信号が生成されなければ、テープの走行を停止させる。または、テープ走行装置は、ヘッドドラム信号が生成されるか否かを決定し、ヘッドドラム信号が生成されなければ、テープの走行を停止させる一方、ヘッドドラム信号が生成されれば、テープの情報が含まれるか否かを再び決定する。【選択図】図４Ａ
2005302258.tif 000002
【特許請求の範囲】
【請求項１】
繰出リールと巻取リールとの間にテープを駆動させるためのテープ走行装置であって、
前記テープの一部をスキャンし、前記テープの一部から情報が検出されれば、信号を発生する検出装置と、
前記繰出リールと前記巻取リールとの間にテープを駆動させるために用いられる駆動力を、前記繰出リールまたは前記巻取リールに提供するための駆動メカニズムと、
前記駆動メカニズムを制御するための制御装置とを含み、
前記制御装置は、前記検出装置からの信号を用いて、テープの一部に情報が含まれているか否かを判断する第１ステップを実施し、
前記テープの一部に情報が含まれていないときは、前記制御装置は、前記駆動メカニズムが前記駆動力を提供することを中断するように制御する第２ステップを実施するテープ走行装置。
【請求項２】
前記テープは、前記検出装置が検出する情報を格納するコントロールトラックを含む請求項１に記載のテープ走行装置。
【請求項３】
前記繰出リールの回転に対応して繰出リールパルスを生成するための繰出リールパルス生成器と、
前記巻取リールの回転に対応して巻取リールパルスを生成するための巻取リールパルス生成器とを更に含み、
前記第１ステップを実施した後、前記テープの一部に情報が含まれていなければ、前記第２ステップを実施する前に、前記制御装置は、前記繰出リールパルス及び前記巻取リールパルスが生成されるか否かを決定する第３ステップを実施し、
前記繰出リールパルス及び前記巻取リールパルスが両方とも生成されなければ、前記制御装置は、前記第２ステップを実施し、
前記繰出リールパルスまたは前記巻取リールパルスのうち一方が生成されれば、前記制御装置は、前記第１ステップを再び実施する請求項１に記載のテープ走行装置。
【請求項４】
前記テープにビデオ信号を記録及び再生するための１つ以上のヘッドを有する回転自在なヘッドドラムアセンブリと、
前記ヘッドドラムアセンブリの回転を示すヘッドドラム信号を生成するためのヘッドドラム信号生成器とを更に含み、
前記第３ステップを行った後、前記繰出リールパルスまたは前記巻取リールパルスのうち一方が生成されれば、前記制御装置は、前記第１ステップを再び実施する前に、前記ヘッドドラム信号が生成されるか否かを決定し、
前記ヘッドドラム信号が生成される場合、前記制御装置は、前記第１ステップを再び実施し、
前記ヘッドドラム信号が生成されない場合、前記制御装置は、前記第２ステップを実施する請求項３に記載のテープ走行装置。
【請求項５】
前記ヘッドドラム信号生成器は、周波数生成器及びパルス生成器のうち一方である請求項４に記載のテープ走行装置。
【請求項６】
ユーザの選択に対応して、ユーザの選択を示す選択信号を生成するための入力装置を更に含み、
前記制御装置は、選択信号により、記録モード、再生モード、巻戻しモード及び早送りモードのうち、どのモードが選択されるかを決定し、
前記ユーザの選択が再生モードであれば、前記制御装置は、前記駆動メカニズムが前記再生モードに適合する駆動力を提供するように制御し、その後、前記第１ステップを実施し、
前記ユーザの選択が記録モードであれば、前記制御装置は、前記駆動メカニズムが前記記録モードに適合する駆動力を提供するように制御し、その後、前記第３ステップを実施する請求項３に記載のテープ走行装置。
【請求項７】
前記ユーザの選択が前記巻戻しモードであれば、前記制御装置は、前記駆動メカニズムが前記巻戻しモードに適合する駆動力を提供するように制御し、前記繰出リールパルス及び前記巻取リールパルスを用いることにより、巻戻しリールパルス比を求め、前記巻戻しリールパルス比を予め定められた値と比較し、
前記巻戻しリールパルス比が前記予め定められた値以上であれば、前記制御装置は、前記駆動メカニズムが駆動力を減少させるように制御した後、前記第１ステップを実施する請求項６に記載のテープ走行装置。
【請求項８】
前記ユーザの選択が前記早送りモードであれば、前記制御装置は、前記駆動メカニズムが早送りモードに適合する駆動力を提供するように制御し、前記繰出リールパルス及び前記巻取リールパルスを用いることにより、早送りリールパルス比を求め、前記早送りリールパルス比を予め定められた値と比較し、
前記早送りリールパルス比が前記予め定められた値以上であれば、前記制御装置は、前記駆動メカニズムが駆動力を減少させるように制御した後、前記第１ステップを実施する請求項６に記載のテープ走行装置。
【請求項９】
繰出リールと巻取リールとの間にテープを駆動させるためのテープ走行装置であって、
ユーザの選択に対応して、ユーザの選択を示す選択信号を生成するための入力装置と、
前記繰出リールと前記巻取リールとの間にテープを駆動するために用いられる駆動力を前記繰出リールまたは前記巻取リールに提供するための駆動メカニズムと、
前記駆動メカニズムを制御し、且つ、前記選択信号により、記録モード、再生モード、早送りモード及び巻戻しモードのうち、どのモードが選択されるかを決定するための制御装置と、
前記繰出リールの回転に対応して、繰出リールパルスを生成するための繰出リールパルス生成器と、
前記巻取リールの回転に対応して、巻取リールパルスを生成するための巻取リールパルス生成器とを含み、
前記制御装置は、前記巻戻しモードにおいて、前記繰出リールパルス及び前記巻取リールパルスを用いることにより、巻戻しリールパルス比を求め、前記巻戻しリールパルス比を予め定められた値と比較し、
前記巻戻しリールパルス比が、巻戻しモードにおいて、前記予め定められた値以上であれば、前記制御装置は、前記駆動メカニズムが駆動力を減少させるように制御するテープ走行装置。
【請求項１０】
前記制御装置は、前記早送りモードにおいて、前記繰出リールパルス及び前記巻取リールパルスを用いることにより、早送りリールパルス比を求め、前記早送りリールパルス比を別の予め定められた値と比較し、
前記早送りリールパルス比が、早送りモードにおいて、前記別の予め定められた値以上であれば、前記制御装置は、前記駆動メカニズムが前記駆動力を減少させるように制御する請求項９に記載のテープ走行装置。
【請求項１１】
繰出リールと巻取リールとの間にテープを駆動させるために用いられる駆動力を前記繰出リールまたは巻取リールに供給するための駆動メカニズムと、前記テープの一部をスキャンし、且つ、前記テープの一部に情報が検出されるとき、信号を発生する検出装置とを備えるテープ走行装置においてテープの走行を制御するテープ走行制御方法であって、
（ａ）前記駆動メカニズムが駆動力を提供して、テープを走行させるように制御するステップと、
（ｂ）前記テープの一部をスキャンして、情報を含んでいるか否かを決定するステップと、
（ｃ）前記情報が検出されれば、前記ステップ（ｂ）を再び実施するステップと、
（ｄ）前記情報が検出されなければ、前記駆動メカニズムが、駆動力の提供を止めるように制御するステップとを含むテープ走行制御方法。
【請求項１２】
前記検出装置が検出する前記情報は、前記テープのコントロールトラックに格納される請求項１１に記載のテープ走行制御方法。
【請求項１３】
前記テープ走行装置は、繰出リールの回転に対応して繰出リールパルスを生成するための繰出リールパルス生成器と、巻取リールの回転に対応して巻取リールパルスを生成するための巻取リールパルス生成器とを更に含み、
（ｅ）前記ステップ（ｄ）を実施する前に、前記繰出リールパルス生成器及び前記巻取リールパルス生成器が、前記繰出リールパルス及び前記巻取リールパルスを生成しているか否かを決定するステップと、
（ｆ）前記繰出リールパルス及び前記巻取リールパルスが生成されれば、前記ステップ（ｂ）を再び実施するステップとを更に含み、
前記繰出リールパルス信号及び前記巻取リールパルス信号が両方とも検出されなければ、前記ステップ（ｄ）を実施する請求項１１に記載のテープ走行制御方法。
【請求項１４】
前記テープ走行装置は、前記テープに信号を記録及び再生するための１つ以上のヘッドを有する回転自在なヘッドドラムアセンブリと、前記回転自在なヘッドドラムアセンブリの回転を示すヘッドドラム信号を生成するためのヘッドドラム信号生成器とを更に含み、
（ｇ）前記ステップ（ｄ）を実施する前に、前記ヘッドドラム信号生成器が前記ヘッドドラム信号を生成しているか否かを決定するステップと、
（ｈ）前記ヘッドドラム信号が生成されれば、前記ステップ（ｂ）を再び実施するステップとを更に含み、
前記ヘッドドラム信号が生成されなければ、前記ステップ（ｄ）を実施する請求項１３に記載のテープ走行制御方法。
【請求項１５】
前記テープ走行装置は、ユーザの選択に対応して、ユーザの選択を示す選択信号を生成するための入力装置を更に含み、
（ｉ）前記入力装置からの選択信号により、記録モード、再生モード、早送りモード及び巻戻しモードのうち、どのモードが選択されるかを決定するステップと、
（ｊ）前記ユーザの選択が巻戻しモードであれば、前記ステップ（ｂ）を実行する前に、
（ｊ−１）前記繰出リールパルス及び前記巻取リールパルスを用いることにより、巻戻しリールパルス比を求めるステップと、
（ｊ−２）前記巻戻しリールパルス比を予め定められた値と比較するステップと、
（ｊ−３）前記巻戻しリールパルス比が前記予め定められた値未満であれば、前記ステップ（ｊ−１）及びステップ（ｊ−２）を再び実施するステップと、
（ｊ−４）前記巻戻しリールパルス比が前記予め定められた値以上であれば、前記駆動メカニズムが、前記駆動力を低減させるように制御し、前記テープ走行速度を減少させるステップを実施するステップとを更に含む請求項１４に記載のテープ走行制御方法。
【請求項１６】
前記テープ走行装置は、ユーザの選択に対応して、ユーザの選択を示す選択信号を生成するための入力装置を更に含み、
（ｉ）前記入力装置からの選択信号により、記録モード、再生モード、早送りモード及び巻戻しモードのうち、どのモードが選択されるかを決定するステップと、
（ｊ）前記ユーザの選択が早送りモードであれば、前記ステップ（ｂ）を実行する前に、
（ｊ−１）前記繰出リールパルス及び前記巻取リールパルスを用いることにより、早送りリールパルス比を求めるステップと、
（ｊ−２）前記早送りリールパルス比を予め定められた値と比較するステップと、
（ｊ−３）前記早送りリールパルス比が前記予め定められた値未満であれば、前記ステップ（ｊ−１）及びステップ（ｊ−２）を再び実施するステップと、
（ｊ−４）前記早送りリールパルス比が前記予め定められた値以上であれば、前記駆動メカニズムが、前記駆動力を低減させるように制御し、前記テープ走行速度を減少させるステップを実施するステップとを更に含む請求項１４に記載のテープ走行制御方法。
【発明の詳細な説明】
【技術分野】
【０００１】
本発明は、例えば、ビデオカセットレコーダ（video cassette recorder）のような記録／再生装置のテープ走行装置及びテープ走行装置でテープの走行を制御するための方法に関し、更に詳しくは、テープの開始センサ、終末センサ及び発光素子を用いることなく、テープの開始部及び終末部でテープの走行を止めることができるテープ走行装置及びテープ走行制御方法に関する。
【背景技術】
【０００２】
ビデオカセットレコーダのような磁気テープのビデオ及びオーディオ信号を記録及び再生するための記録／再生装置は、基本的に、磁気テープを予め定められたテープ移送経路（又は、テープ走行経路）に沿って駆動するためのテープ走行装置を含む。図１は、従来の記録／再生装置のテープ走行装置の主な要素を示す概略斜視図である。
【０００３】
同図に示すように、従来のテープ走行装置は、駆動モータ（図示せず）を有するキャプスタン２３と、ピンチローラ２４とを含む。ピンチローラ２４は、テープ１２をキャプスタン２３に押圧し、キャプスタン２３によって作用する回転駆動力がテープ１２に伝達されるようにする。また、キャプスタン２３のモータにより生成された駆動力は、リール駆動装置（図示せず）を介して巻取リールディスク１８ａまたは繰出リールディスク１７ａに伝達され、テープ１２が予め定められたテープ移送経路に沿って、巻取リール１８または繰出リール１７に巻取されるようにする。
【０００４】
更に、従来のテープ走行装置は、回転自在なヘッドドラムアセンブリ１０を含む。テープ１２の一部が、繰出リール１７から引っ張り出されると、ヘッドドラムアセンブリ１０の周りに傾斜して巻取され、ビデオ信号が、１つ以上のヘッド１１によりテープ１２から再生されるか、或いは、テープ１２に記録される。
【０００５】
従来のテープ走行装置は、更に、全幅消去ヘッド２０と、オーディオ消去ヘッド２１と、オーディオコントロールヘッド２２とを含む。全幅消去ヘッド２０は、テープ移送経路の回転自在なヘッドドラムアセンブリ１０と繰出リール１７との間に配置され、記録／再生装置の記録モードの期間、テープ１２のバンド２２ｃ（図２を参照）に格納されたビデオ信号を消去する。オーディオ消去ヘッド２１及びオーディオコントロールヘッド２２は、テープ移送経路の、回転自在なヘッドドラムアセンブリ１０と巻取リール１８との間に配置される。オーディオ消去ヘッド２１は、記録／再生装置の記録モードの期間、テープ１２のオーディオトラック２２ａ（図２を参照）に格納されたオーディオ信号を消去し、オーディオコントロールヘッド２２は、テープ１２にオーディオ信号を含むオーディオトラック２２ａ及びテープ１２の位置を正確に制御するためのコントロール信号を含むコントロールトラック２２ｂ（図２を参照）を形成する。更に、オーディオコントロールヘッド２２は、テープ１２をスキャンして、コントロールトラック２２ｂに記録されたコントロール信号を検出する。
【０００６】
図１に示すように、従来のテープ走行装置は、開始センサ２６、終末センサ２７及び発光素子２５を含む。繰出リール１７に一端が連結されている、テープ１２の第１透明リード領域（図示せず）が、早送りモード、再生モードまたは記録モードに際して、繰出リール１７から巻き戻されると、発光素子２５から発光されたビームは、第１透明リード領域を通して、終末センサ２７に至ることができる。また、末端センサ２７は、発光素子２５から発光されたビームを受信すると、電気信号をテープ駆動装置の制御装置（図示せず）に送る。すると、制御装置は、テープ１２の終末部が巻き戻されていること、すなわち、テープ１２の終末部を検知し、キャプスタン２３の駆動モータが停止するように制御する。
【０００７】
同様に、巻取リール１８に一端が連結されている、テープ１２の第２透明リード領域（図示せず）が、巻戻しモードに際して、巻取リール１８から巻き戻されると、発光素子２５から発光されたビームは、第２透明リード領域を介して、開始センサ２６に至ることができる。また、開始センサ２６は、発光素子２５から発光されたビームを受信すると、電気信号をテープ駆動装置の制御装置に送る。すると、制御装置は、テープ１２の開始部が巻取リール１８から巻き戻されること、すなわち、テープ１２の開始部を検知し、キャプスタン２３の駆動モータが停止するように制御する。
【０００８】
しかし、上述のように、従来のテープ走行装置は、テープ１２の開始部と終末部を検知するために、２つのセンサ及び発光素子を採用し、これにより、製造工程が複雑になり、且つ、作業の効率が低下する不都合がある。
【発明の開示】
【発明が解決しようとする課題】
【０００９】
本発明は上記事情に鑑みてなされたものであり、その目的とするところは、開始センサ、終末センサ及び発光素子を用いることなく、テープの開始部及び終末部でテープの走行を止めることができるテープ走行装置及びテープの走行を制御するテープ走行制御方法を提供することにある。
【課題を解決するための手段】
【００１０】
上記目的を達成するための本発明は、繰出リールと巻取リールとの間にテープを駆動させるためのテープ走行装置であって、前記テープの一部をスキャンし、前記テープの一部から情報が検出されれば、信号を発生する検出装置と、前記繰出リールと前記巻取リールとの間にテープを駆動させるために用いられる駆動力を、前記繰出リールまたは前記巻取リールに提供するための駆動メカニズムと、前記駆動メカニズムを制御するための制御装置とを含み、前記制御装置は、前記検出装置からの信号を用いて、テープの一部に情報が含まれているか否かを判断する第１ステップを実施し、前記テープの一部に情報が含まれていないときは、前記制御装置は、前記駆動メカニズムが前記駆動力を提供することを中断するように制御する第２ステップを実施することを特徴とする。
【００１１】
上記目的を達成するための本発明は、繰出リールと巻取リールとの間にテープを駆動させるためのテープ走行装置であって、ユーザの選択に対応して、ユーザの選択を示す選択信号を生成するための入力装置と、前記繰出リールと前記巻取リールとの間にテープを駆動するために用いられる駆動力を前記繰出リールまたは前記巻取リールに提供するための駆動メカニズムと、前記駆動メカニズムを制御し、且つ、前記選択信号により、記録モード、再生モード、早送りモード及び巻戻しモードのうち、どのモードが選択されるかを決定するための制御装置と、前記繰出リールの回転に対応して、繰出リールパルスを生成するための繰出リールパルス生成器と、前記巻取リールの回転に対応して、巻取リールパルスを生成するための巻取リールパルス生成器とを含み、前記制御装置は、前記巻戻しモードにおいて、前記繰出リールパルス及び前記巻取リールパルスを用いることにより、巻戻しリールパルス比を求め、前記巻戻しリールパルス比を予め定められた値と比較し、前記巻戻しリールパルス比が、巻戻しモードにおいて、前記予め定められた値以上であれば、前記制御装置は、前記駆動メカニズムが駆動力を減少させるように制御することを特徴とする。
【００１２】
上記目的を達成するための本発明は、繰出リールと巻取リールとの間にテープを駆動させるために用いられる駆動力を前記繰出リールまたは巻取リールに供給するための駆動メカニズムと、前記テープの一部をスキャンし、且つ、前記テープの一部に情報が検出されるとき、信号を発生する検出装置とを備えるテープ走行装置においてテープの走行を制御するテープ走行制御方法であって、（ａ）前記駆動メカニズムが駆動力を提供して、テープを走行させるように制御するステップと、（ｂ）前記テープの一部をスキャンして、情報を含んでいるか否かを決定するステップと、（ｃ）前記情報が検出されれば、前記ステップ（ｂ）を再び実施するステップと、（ｄ）前記情報が検出されなければ、前記駆動メカニズムが、駆動力の提供を止めるように制御するステップとを含むことを特徴とする。
【発明の効果】
【００１３】
本発明によるテープ走行装置は、開始センサ、終末センサ及び発光素子を用いることなく、テープの開始部及び終末部を検知することにより、テープの走行を制御することができる。これにより、テープ走行装置の生産費用及び生産時間を効果的に低減することができるという効果を奏する。
【発明を実施するための最良の形態】
【００１４】
以下、添付の図面に基づいて本発明による好適な実施例について詳細に説明する。
【００１５】
図３は、本発明の好適な実施例による再生／記録装置のテープ走行装置の概略ブロック図である。図３に示すように、テープ走行装置は、モード入力装置２０６、コントロールトラック読取装置２０９、ヘッドドラム周波数生成器２１２、ヘッドドラムパルス生成器２１４、繰出リールパルス生成器２１５及び巻取リールパルス生成器２１８を含む。モード入力装置２０６は、記録モード、再生モード、早送りモードまたは巻戻しモードのような、ユーザのモード選択に従って、モード信号を生成する。コントロールトラック読取装置２０９は、オーディオコントロールヘッドのような装置であって、テープのコントロールトラックに格納された情報に対応してＣＴＬ信号を生成する。ヘッドドラム周波数生成器２１２は、回転自在なヘッドドラムアセンブリの回転に対応してＦＧ信号を生成し、ヘッドドラムパルス生成器２１４は、回転自在なヘッドドラムアセンブリの回転に対応してＰＧ信号を生成する。繰出リールパルス生成器２１５は、繰出リールディスクの回転、すなわち、繰出リールディスクと共に回転するビデオカセットの繰出リールの回転に対応して、繰出リールパルスを生成し、巻取リールパルス生成器２１８は、巻取リールディスクの回転、すなわち、巻取リールディスクと共に回転するビデオカセットの巻取リールの回転に対応して、巻取リールパルスを生成する。
【００１６】
コントロールトラック読取装置２０９は、コントロールトラック読取装置２０９が読み取るテープの一部が情報、例えば、回転自在なヘッドドラムアセンブリを通るテープをどれほど速く駆動させるかについての情報などを含むとき、ＣＴＬ信号を生成する。一方、テープの一部が、リード領域、すなわち、テープの開始部と終末部のように、情報を含んでいない場合は、読取装置２０９は、ＣＴＬ信号を生成しない。また、周波数生成器２１２及びパルス生成器２１４はそれぞれ、回転自在なヘッドドラムアセンブリが回転しているとき、ＦＧ及びＰＧ信号を生成し、回転自在なヘッドドラムアセンブリが回転しないときは、ＦＧ及びＰＧ信号を生成しない。更に、繰出リールパルス生成器２１５は、繰出リールが回転しているときは、繰出リールパルスを生成し、繰出リールが回転しないときは、繰出リールパルスを生成しない。同様に、巻取リールパルス生成器２１８は、巻取リールが回転しているときは、巻取リールパルスを生成し、巻取リールが回転しないときは、巻取リールパルスを生成しない。
【００１７】
また、本発明のテープ走行装置は、モード入力装置２０６、コントロールトラック読取装置２０９、周波数生成器２１２、パルス生成器２１４、繰出リールパルス生成器２１５及び巻取リールパルス生成器２１８から生成される信号及びパルスを受信する制御装置２０４を含む。このような信号及びパルスを用いることにより、制御装置２０４は、繰出リールと、ヘッドドラムと、巻取リールとの間のテープ移送経路に沿ってテープを移送するために、リール駆動装置を介して、繰出リールディスクまたは巻取リールディスクに駆動力を提供する駆動装置２２１を制御する。
【００１８】
以下、本発明のテープ走行装置の動作について、図４Ａ、図４Ｂ及び図５を参照して説明する。
【００１９】
記録／再生装置のテープ走行装置にテープを含んでいるビデオカセットがローディングされた後、制御装置２０４は、ステップＳ３０２、Ｓ３１４、Ｓ３１６及びＳ３１７を介して、モード入力装置２０６からのモード信号により、記録モード、再生モード、早送りモード及び巻戻しモードのうち、どの動作モードが選択されるかを決定する。再生モードが選択される場合、コントロール装置２０４は、駆動装置２２１が再生モードに適合する駆動力を提供するように制御して、テープが、再生モードに適合する速度で、繰出リールから巻取リールへ移送される。次に、ステップＳ３０６では、制御装置２０４は、移送されてくるテープをスキャンするコントロールトラック読取装置２０９からＣＴＬ信号が生成されるか否かを決定する。ＣＴＬ信号が生成されると、制御装置２０４は、予め定められた時間が経過した後、ステップＳ３０６を繰り返す。すなわち、ＣＴＬ信号が生成されるか否かを再び決定する。一方、ＣＴＬ信号が検出されないと、制御装置２０４は、ステップＳ３０８で、繰出リールパルス生成器２１５及び巻取リールパルス生成器２１８からの繰出リールパルス及び巻取リールパルスが生成されるか否かを決定する。繰出リールパルス及び巻取リールパルスが両方とも生成されなければ、制御装置２０４は、駆動装置２２１を制御して駆動力の提供を止めるステップＳ３１０を実施する。一方、繰出リールパルスまたは巻取リールパルスが検出されれば、制御装置２０４は、ＦＧ及びＰＧ信号が検出されるか否かを決定するステップＳ３１２を実施する。ＦＧまたはＰＧ信号のうち一方が検出されれば、制御装置２０４は、ステップＳ３０６を実施する。一方、ＦＧ信号及びＰＧ信号が両方とも検出されなければ、制御装置２０４は、駆動装置２２１が駆動力の提供を止めるように制御するステップＳ３１０を実施する。
【００２０】
ステップＳ３０２で、再生モードが選択されなければ、制御装置２０４は、ユーザにより、記録モードが選択されるか否かを決定するステップＳ３１４を実施する。記録モードが選択されると、制御装置２０４は、ステップＳ３０８を実施する。一方、記録モードが選択されなければ、制御装置２０４は、ステップＳ３１６、Ｓ３１７を介して、ユーザにより、巻戻しモードが選択されるか、または、早送りモードが選択されるかを決定する。巻戻しモード及び早送りモードが両方とも選択されなければ、制御装置２０４は、ステップＳ３１０を実施する。
【００２１】
巻戻しモードが選択されれば、ステップＳ３１８ｂ（図４Ｂを参照）を実施する。すなわち、制御装置２０４は、駆動装置２２１を制御して、巻戻しモードに適合する駆動力を提供するようにして、テープが、高速で、巻取リールから繰出リールへ移送される。その後、制御装置２０４は、ステップＳ３２０ｂで、巻戻しリールパルス比（後に説明する）、すなわち、巻取リールパルスのパルス間隔に対する繰出リールパルスのパルス間隔の比を求める。
【００２２】
図５には、テープが、高速で、巻取リールから繰出リールへ移送するとき、すなわち、記録／再生装置が、巻戻しモードで駆動中のときの、図３中の繰出リールパルス生成器及び巻取リールパルス生成器からの繰出リールパルス及び巻取リールパルスが示されている。同図に示すように、巻取リールパルスのパルス間隔は、テープが巻取リールから繰出リールへ移送されて行くにつれて、巻取リールの回転が速くなるため、短くなる。一方、繰出リールパルスのパルス間隔は、テープが巻取リールから繰出リールへ移送されて行くにつれて、繰出リールの周囲に巻取されるテープの重さの増加により、繰出リールの回転が遅れるため、長くなる。従って、テープが巻取リールから繰出リールへ移送して行くにつれて、巻戻しリールパルス比は大きくなり、巻戻しリールパルス比を用いることにより、巻取リールに残っているテープの量が求められる。
【００２３】
図４Ｂに戻ると、制御装置２０４は、続いて、巻戻しリールパルス比が、第１の予め定められた値以上であるか、或いは、第１の予め定められた値未満であるかを決定するステップＳ３２２ｂを実施する。巻戻しリールパルス比が、第１の予め定められた値以上であれば、巻取リールに残っているテープの量が一定のレベル以下であり、制御装置２０４は、ステップＳ３２４ｂで、テープの移送速度を低減するために、駆動装置２２１が予め定められた量だけ低減した駆動力を提供するように制御する。その後、制御装置２０４は、ステップＳ３０６を実施する。一方、巻戻しリールパルス比が、第１の予め定められた値未満であれば、制御装置２０４は、予め定められた時間以降に、ステップＳ３２０ｂを繰り返す。
【００２４】
ステップＳ３１７で、早送りモードが選択されると、ステップ３１８ｃ（図４Ｂを参照）を実施する。すなわち、制御装置２０４は、駆動装置２２１が早送りモードに適合する駆動力を提供するように制御し、テープが高速で繰出リールから巻取リールへ移送されるようにする。その後、制御装置２０４は、ステップＳ３２０ｃで、早送りリールパルス比、すなわち、繰出リールパルスのパルス間隔に対する巻取リールパルスのパルス間隔の比を求める。
【００２５】
この後、制御装置２０４は、早送りリールパルス比が、第２の予め定められた値以上であるか、或いは、第２の予め定められた値未満であるかを決定するステップＳ３２２ｃを行う。早送りリールパルス比が、第２の予め定められた値以上であれば、繰出リールに残っているテープの量が一定のレベル以下であり、制御装置２０４は、ステップＳ３２４ｃで、テープの移送速度を低減するために、駆動装置２２１が予め定められた量だけ低減した駆動力を提供するように制御する。その後、制御装置２０４は、ステップＳ３０６を実施する。一方、早送りリールパルス比が、第２の予め定められた値より小さい場合、制御装置２０４は、予め定められた時間以降に、ステップＳ３２０ｃを繰り返す。
【００２６】
本発明の実施形態及び応用例は、以上説明した通りであるが、当業者にとって、上記したものよりさらに多くの変更が、ここにおける本発明の概念を逸脱することなく可能なことは明白である。従って、本発明は、請求の範囲の精神をおいて限定されるものではない。
【図面の簡単な説明】
【００２７】
【図１】従来の記録／再生装置のテープ走行装置の要部を示す斜視図
【図２】記録／再生装置で用いられる磁気テープの概略平面図
【図３】本発明の好適な実施例による記録／再生装置のテープ走行装置の概略ブロック図
【図４Ａ】図３中のテープ走行装置の制御装置の動作を示すフローチャート
【図４Ｂ】図３中のテープ走行装置の制御装置の動作を示すフローチャート
【図５】テープが速い速度で巻取リールから繰出リールへ移送する期間、すなわち、記録／再生装置が巻戻しモードで動作する間、図３中の繰出リールパルス生成器及び巻取リールパルス生成器から生成された繰出リールパルス及び巻取リールパルスを示すグラフ
【符号の説明】
【００２８】
１０  ヘッドドラムアセンブリ
１２  テープ
１７  繰出リール
１８  巻取リール
２０  全幅消去ヘッド
２１  オーディオ消去ヘッド
２２  オーディオコントロールヘッド
２３  キャプスタン
２４  ピンチローラ
２５  発光素子
２６  開始センサ
２７  終末センサ
２０４  制御装置
２０６  モード入力装置
２０９  コントロールトラック読取装置
２１２  周波数生成器
２１４  パルス生成器
２１５  繰出リールパルス生成器
２１８  巻取リールパルス生成器
２２１  駆動装置
【図１】
2005302258.tif 000003
【図２】
2005302258.tif 000004
【図３】
2005302258.tif 000005
【図４Ａ】
2005302258.tif 000006
【図４Ｂ】
2005302258.tif 000007
【図５】
2005302258.tif 000008